(57)【要約】  【課題】  複数チャンネルの音声信号を再生したステレオ音声のラウドネスレベルを１つの数値として表示するステレオ音声用ラウドネスレベルメータを提供する。  【解決手段】  ステレオ音声再生用の複数（＝Ｍ）チャンネルの音声信号Ｓ（ｍ）のそれぞれについて、予め定められた複数（＝Ｎ）の周波数帯域別の音声エネルギであるチャンネルごと周波数帯域別音声エネルギｅ（ｍ，ｎ）（１≦ｍ≦Ｍ，１≦ｎ≦Ｎ）を算出した後、周波数帯域ごとに全チャンネルのチャンネルごと周波数帯域別音声エネルギｅ（ｍ，ｎ）を加算して周波数帯域別ステレオ音声エネルギＥ（ｎ）を算出する周波数帯域別ステレオ音声エネルギ算出手段１と、周波数帯域別ステレオ音声エネルギＥ（ｎ）に基づいて複数チャンネルの音声信号をステレオ再生したときのステレオ音声ラウドネスＬを算出するステレオ音声ラウドネス算出手段２とを含む。【選択図】  図１
2006279242.tif 000002
【特許請求の範囲】
【請求項１】
ステレオ音声の再生に使用する複数チャンネルの音声信号のそれぞれについて予め定められた複数の周波数帯域別の音声エネルギであるチャンネルごと周波数帯域別音声エネルギを算出した後、周波数帯域ごとに全チャンネルの前記チャンネルごと周波数帯域別音声エネルギを加算して周波数帯域別ステレオ音声エネルギを算出する周波数帯域別ステレオ音声エネルギ算出手段と、
前記周波数帯域別ステレオ音声エネルギに基づいて前記複数チャンネルの音声信号をステレオ再生したときのステレオ音声ラウドネスを算出するステレオ音声ラウドネス算出手段とを含むステレオ音声用ラウドネスレベルメータ。
【請求項２】
前記ステレオ音声ラウドネス算出手段が、
前記周波数帯域別ステレオ音声エネルギを聴覚周波数特性で補正して聴覚周波数特性補正ステレオ音声エネルギを算出する聴覚周波数特性補正部と、
前記聴覚周波数特性補正ステレオ音声エネルギを周波数マスキング特性で補正して周波数マスキング特性補正ステレオ音声エネルギを算出する周波数マスキング特性補正部と、
前記周波数マスキング特性補正ステレオ音声エネルギに基づいて、前記複数チャンネルの音声信号をステレオ再生したときのステレオ音声ラウドネスを算出するラウドネス算出部とを含む請求項１に記載のステレオ音声用ラウドネスレベルメータ。
【請求項３】
前記ステレオ音声ラウドネスをステレオ音声ラウドネスレベルに換算する換算手段を含む請求項１または請求項２に記載のステレオ音声用ラウドネスレベルメータ。
【請求項４】
前記周波数帯域別ステレオ音声エネルギ算出手段が、１オクターブごとに前記チャンネルごと周波数帯域別音声エネルギを算出するものである請求項１から請求項３のいずれか１項に記載のステレオ音声用ラウドネスレベルメータ。
【請求項５】
前記周波数帯域別ステレオ音声エネルギ算出手段が、１／３オクターブごとに前記チャンネルごと周波数帯域別音声エネルギを算出するものである請求項１から請求項３のいずれか１項に記載のステレオ音声用ラウドネスレベルメータ。
【請求項６】
前記周波数帯域別ステレオ音声エネルギ算出手段が、
前記複数チャンネルの音声信号のそれぞれについて予め定められた複数の周波数帯域別の音声エネルギであるチャンネルごと周波数帯域別音声エネルギを算出するチャンネルごと周波数帯域別音声エネルギ算出部と、
周波数帯域ごとに全チャンネルの前記チャンネルごと周波数帯域別音声エネルギを加算して周波数帯域別ステレオ音声エネルギを算出する加算部とを含む請求項１から請求項５のいずれか１項に記載のステレオ音声用ラウドネスレベルメータ。
【請求項７】
前記周波数帯域別ステレオ音声エネルギ算出手段が、
前記複数チャンネルの音声信号のそれぞれについて予め定められた複数の周波数帯域別の音声エネルギであるチャンネルごと周波数帯域別音声エネルギを算出するチャンネルごと周波数帯域別音声エネルギ算出部と、
チャンネルごと周波数帯域ごとに、前記チャンネルごと周波数帯域別音声エネルギのレベルを聴覚の指向特性に基づいて補正してレベル補正チャンネルごと周波数帯域別音声エネルギを算出する聴覚指向特性補正部と、
周波数帯域ごとに全チャンネルの前記レベル補正チャンネルごと周波数帯域別音声エネルギを加算して周波数帯域別ステレオ音声エネルギを算出する加算部とを含む請求項１から請求項５のいずれか１項に記載のステレオ音声用ラウドネスレベルメータ。
【請求項８】
前記ステレオ音声ラウドネスレベル算出手段により算出されたステレオ音声ラウドネスレベルに聴覚の時間特性を付加する聴覚時間特性付加手段を含む請求項１から請求項７のいずれか１項に記載のステレオ音声用ラウドネスレベルメータ。
【発明の詳細な説明】
【技術分野】
【０００１】
本発明は、ステレオ音声用ラウドネスレベルメータに係り、特に、複数チャンネルの音声信号から再生されるステレオ音声のラウドネスレベルを１つの数値で表示することのできるステレオ音声用ラウドネスレベルメータに関する。
【背景技術】
【０００２】
音声信号に基づくラウドネスレベルの算出方法はＩＳＯ５３２Ｂに規定されているが、本出願人は、既に、ＩＳＯ５３２Ｂに準拠してラウドネスレベルを表示するラウドネスレベルメータを提案している（例えば、特許文献１参照）。
【０００３】
図１０は上記提案に係るラウドネスレベルメータで適用されるＩＳＯ５３２Ｂに準拠したラウドネス算出過程を示すブロック線図であって、周波数帯域別音声エネルギ算出ステップにおいて、１チャンネルの音声信号Ｓの音声エネルギを所定の周波数帯域（例えば、１／３オクターブ帯域）別に算出する（ステップＳ９０）。
【０００４】
次に、聴覚周波数特性補正ステップにおいて、周波数帯域別音声エネルギを人間の聴覚周波数特性に基づいて補正する（ステップＳ９１）。聴覚周波数特性で補正する理由は、人間の聴覚周波数特性は平坦でなく１ｋＨｚ近傍に頂点を有する凹型を有しているので、正確なラウドネスを算出するためには凹型特性で音声エネルギを補正することが必要となるからである。
【０００５】
そして、周波数マスキング特性補正ステップにおいて、聴覚周波数特性補正された周波数帯域別音声エネルギに対して周波数マスキング補正する（ステップＳ９２）。周波数マスキング補正する理由は、特定周波数帯域の音声エネルギと特定周波数帯域の隣接周波数帯域の音声エネルギとの差が大きい場合には、特定周波数帯域の音声により隣接周波数帯域の音声はマスキングされるという周波数マスキング効果を考慮することが必要となるからである。
【０００６】
最後に、ラウドネス算出ステップにおいて、周波数マスキング補正後の周波数帯域別ごとの音声エネルギに基づいてラウドネスＬ（単位：sone）が算出される（ステップＳ９３）。
【０００７】
そして、上記提案に係るラウドネスレベルメータは、ラウドネスＬをラウドネスレベルＬＬ（単位：phone）に換算し聴覚の時間特性を付加した後に、ラウドネスレベルＬＬを表示している。
【０００８】
また、ＩＳＯ５３２Ｂに準拠した２チャンネルステレオ音声用ラウドネスレベルメータも市販されているが、左スピーカおよび右スピーカから放射される音声のラウドネスレベルを別個に表示するものである（例えば、非特許文献１参照）。
【特許文献１】特許３４６２３９０号公報
【非特許文献１】http://www.yamaki-ec.co.jp/llm-1012.html
【発明の開示】
【発明が解決しようとする課題】
【０００９】
しかしながら、上記の従来のラウドネスレベルメータは、複数チャンネル（例えば２チャンネル、あるいは５．１チャンネル）の音声信号を使用して再生されるステレオ音声のラウドネスあるいはラウドネスレベルを１つの数値として表示するものではないという課題があった。
【００１０】
即ち、特許文献１に記載されたラウドネスレベルメータを使用して、複数チャンネルの音声信号を１チャンネルの音声信号にダウンミックスしてラウドネスレベルを算出することもできるが、チャンネル間の相互干渉を考慮することができないため、正確なラウドネスレベルを表示することはできない。
【００１１】
ステレオ音声のラウドネスまたはラウドネスレベルの測定方法として、Moore等によって提案された方法（A model for the Prediction of Threshold, Loudness, and Partial Loudness. J. Audio Eng. Soc. vol.45, No.4, pp224-239(1997)）も周知であるが、Moore等の方法は、右耳および左耳に到達する音声をモノーラル音声と仮定してラウドネスを別個に算出し、右耳および左耳に到達する音声のラウドネスの和をステレオ音声のラウドネスとしている。
【００１２】
しかし、Moore等の方法は、頭部の影響を考慮することは煩雑である、両耳で聴取したときの音声の大きさは片耳で聴取した音声の大きさの和とはならない（「聴覚と音響心理」日本音響学会偏、コロナ社刊、pp145〜154）等の理由により実用化には至っていない。
【００１３】
ラウドネスは四則演算が可能な比率尺度であるので、ＩＳＯ５３２Ｂに準拠して各チャンネルのラウドネスを算出し、各ラウドネスの加算値をステレオ音声のラウドネスとすることも可能であるが、チャンネル間の相互干渉を考慮することができないので、各チャンネルのラウドネスの加算値をステレオ音声のラウドネスとすることは適当ではない。
【００１４】
本発明は、上記の従来の課題を解決するためになされたものであって、複数チャンネルの音声信号を再生して得られるステレオ音声のラウドネスレベルを１つの数値として表示することのできるステレオ音声用ラウドネスレベルメータを提供することを目的とする。
【課題を解決するための手段】
【００１５】
本発明のステレオ音声用ラウドネスレベルメータは、ステレオ音声の再生に使用する複数チャンネルの音声信号のそれぞれについて予め定められた複数の周波数帯域別の音声エネルギであるチャンネルごと周波数帯域別音声エネルギを算出した後周波数帯域ごとに全チャンネルの前記チャンネルごと周波数帯域別音声エネルギを加算して周波数帯域別ステレオ音声エネルギを算出する周波数帯域別ステレオ音声エネルギ算出手段と、前記周波数帯域別ステレオ音声エネルギに基づいて前記複数チャンネルの音声信号をステレオ再生したときのステレオ音声ラウドネスを算出するステレオ音声ラウドネス算出手段とを含む構成を有している。
【００１６】
この構成により、複数チャンネルの音声信号を再生して得られるステレオ音声のラウドネスレベルを１つの数値として表示することができることとなる。
【００１７】
本発明のステレオ音声用ラウドネスレベルメータは、前記ステレオ音声ラウドネス算出手段が、前記周波数帯域別ステレオ音声エネルギを聴覚周波数特性で補正して聴覚周波数特性補正ステレオ音声エネルギを算出する聴覚周波数特性補正部と、前記聴覚周波数特性補正ステレオ音声エネルギを周波数マスキング特性で補正して周波数マスキング特性補正ステレオ音声エネルギを算出する周波数マスキング特性補正部と、前記周波数マスキング特性補正ステレオ音声エネルギに基づいて前記複数チャンネルの音声信号をステレオ再生したときのステレオ音声ラウドネスを算出するラウドネス算出部とを含む構成を有している。
【００１８】
この構成により、ＩＳＯ５３２Ｂに基づいてラウドネスを算出できることとなる。
【００１９】
本発明のステレオ音声用ラウドネスレベルメータは、前記ステレオ音声ラウドネスをステレオ音声ラウドネスレベルに換算する換算手段を含む構成を有している。
【００２０】
この構成により、ステレオ音声のラウドネスレベルを１つの数値で表示できることとなる。
【００２１】
本発明のステレオ音声用ラウドネスレベルメータは、前記周波数帯域別ステレオ音声エネルギ算出手段が、１オクターブごとに前記チャンネルごと周波数帯域別音声エネルギを算出するものであってもよい。
【００２２】
本発明のステレオ音声用ラウドネスレベルメータは、前記周波数帯域別ステレオ音声エネルギ算出手段が、１／３オクターブごとに前記チャンネルごと周波数帯域別音声エネルギを算出するものであってもよい。
【００２３】
本発明のステレオ音声用ラウドネスレベルメータは、前記周波数帯域別ステレオ音声エネルギ算出手段が、前記複数チャンネルの音声信号のそれぞれについて予め定められた複数の周波数帯域別の音声エネルギであるチャンネルごと周波数帯域別音声エネルギを算出するチャンネルごと周波数帯域別音声エネルギ算出部と、周波数帯域ごとに全チャンネルの前記チャンネルごと周波数帯域別音声エネルギを加算して周波数帯域別ステレオ音声エネルギを算出する加算部とを含む構成を有している。
【００２４】
この構成により、各チャンネルの音声信号に基づいて周波数帯域別ステレオ音声エネルギを算出できることとなる。
【００２５】
本発明のステレオ音声用ラウドネスレベルメータは、前記周波数帯域別ステレオ音声エネルギ算出手段が、前記複数チャンネルの音声信号のそれぞれについて予め定められた複数の周波数帯域別の音声エネルギであるチャンネルごと周波数帯域別音声エネルギを算出するチャンネルごと周波数帯域別音声エネルギ算出部と、チャンネルごと周波数帯域ごとに前記チャンネルごと周波数帯域別音声エネルギのレベルを聴覚の指向特性に基づいて補正してレベル補正チャンネルごと周波数帯域別音声エネルギを算出する聴覚指向特性補正部と、周波数帯域ごとに全チャンネルの前記レベル補正チャンネルごと周波数帯域別音声エネルギを加算して周波数帯域別ステレオ音声エネルギを算出する加算部とを含む構成を有している。
【００２６】
この構成により、各チャンネルの音声信号に基づいて聴覚の指向特性を補正した周波数帯域別ステレオ音声エネルギを算出できることとなる。
【００２７】
本発明のステレオ音声用ラウドネスレベルメータは、前記ステレオ音声ラウドネスレベル算出手段により算出されたステレオ音声ラウドネスレベルに聴覚の時間特性を付加する聴覚時間特性付加手段を含む構成を有している。
【００２８】
この構成により、ステレオ音声ラウドネスレベルに聴覚の時間特性を付加できることとなる。
【発明の効果】
【００２９】
本発明は、チャンネルごと周波数帯域別ステレオ音声エネルギ算出手段およびステレオ音声ラウドネス算出手段を設けることにより、複数チャンネルの音声信号を再生して得られるステレオ音声のラウドネスを１つの数値で表示することができるという効果を有するステレオ音声用ラウドネスレベルメータを提供することができるものである。
【発明を実施するための最良の形態】
【００３０】
以下、本発明に係るステレオ音声用ラウドネスレベルメータの実施の形態について、図面を参照しつつ説明する。
（第１の実施の形態）
本発明の第１の実施の形態のステレオ音声用ラウドネスレベルメータは、図１に示すように、ステレオ音声再生用の複数（＝Ｍ：２≦Ｍ）チャンネルの音声信号Ｓ（ｍ）のそれぞれについて、予め定められた複数（＝Ｎ：２≦Ｎ）の周波数帯域別の音声エネルギであるチャンネルごと周波数帯域別音声エネルギｅ（ｍ，ｎ）（１≦ｍ≦Ｍ，１≦ｎ≦Ｎ）を算出した後、周波数帯域ごとに全チャンネルのチャンネルごと周波数帯域別音声エネルギｅ（ｍ，ｎ）を加算して周波数帯域別ステレオ音声エネルギＥ（ｎ）を算出する周波数帯域別ステレオ音声エネルギ算出手段１と、周波数帯域別ステレオ音声エネルギＥ（ｎ）に基づいて複数チャンネルの音声信号をステレオ再生したときのステレオ音声ラウドネスＬを算出するステレオ音声ラウドネス算出手段２とを含む構成を有している。
【００３１】
ステレオ音声ラウドネス算出手段２は、周波数帯域別ステレオ音声エネルギを聴覚周波数特性で補正して聴覚周波数特性補正ステレオ音声エネルギを算出する聴覚周波数特性補正部２１と、聴覚周波数特性補正ステレオ音声エネルギを周波数マスキング特性で補正して周波数マスキング特性補正ステレオ音声エネルギを算出する周波数マスキング特性補正部２２と、周波数マスキング特性補正ステレオ音声エネルギに基づいて複数チャンネルの音声信号をステレオ再生したときのステレオ音声ラウドネスＬを算出するラウドネス算出部２３とを含んでいてもよい。
【００３２】
また、本発明の第１の実施の形態のステレオ音声用ラウドネスレベルメータは、ステレオ音声ラウドネスＬをステレオ音声ラウドネスレベルＬＬに換算する換算手段３を含んでいてもよい。
【００３３】
周波数帯域別ステレオ音声エネルギ算出手段１は、図２に示すように、複数（＝Ｍ）チャンネルの音声信号Ｓ（ｍ）のそれぞれを周波数分析した後予め定められた複数（＝Ｎ）の周波数帯域に分割してチャンネルごと周波数帯域別音声エネルギｅ（ｍ，ｎ）（１≦ｍ≦Ｍ，１≦ｎ≦Ｎ）を算出するチャンネルごと周波数帯域別音声エネルギ算出部１１ｍと、周波数帯域ごとに全チャンネルのチャンネルごと周波数帯域別音声エネルギｅ（ｍ，ｎ）を加算して周波数帯域別音声エネルギＥ（ｎ）を算出する加算部１２ｎとを含む。
【００３４】
図３は、本発明の第１の実施の形態のステレオ音声用ラウドネスレベルメータのハードウエア構成の一例を示すブロック図であって、音声信号がアナログ信号である場合に適用される。
【００３５】
即ち、本発明の第１の実施の形態のステレオ音声用ラウドネスレベルメータは、複数チャンネルの音声信号Ｓ（ｍ）をデジタル音声信号ｄ（ｍ）に変換するＡ／Ｄ変換部５１と、デジタル音声信号ｄ（ｍ）を周波数分析するＤＳＰ５２と、プログラムに基づいて演算処理を実行するＣＰＵ５３と、プログラムおよび演算結果を記憶するメモリ５４と、ラウドネスレベル表示パネル５５が接続されるパネルインターフェイス（Ｉ／Ｆ）５６とがバス５７に接続された構成を有する。なお、Ａ／Ｄ変換部５１とＤＳＰ５２とは専用のバス５８で接続されている。
【００３６】
Ａ／Ｄ変換部５１およびＤＳＰ５２は、周波数帯域別ステレオ音声エネルギ算出手段１を構成し、ＣＰＵ５３およびメモリ５４は、聴覚周波数特性補正部２１、周波数マスキング特性補正部２２、およびラウドネス算出部２３から成るステレオ音声ラウドネス算出手段２ならびに換算手段３を構成する。
【００３７】
なお、音声信号が既にデジタル化されている場合（例えば、音声信号が音声ファイルに収納されている場合）は、音声信号を直接ＤＳＰ５２に入力すればよい。
【００３８】
次に、第１の実施の形態のステレオ音声用ラウドネスレベルメータの動作を説明する。
【００３９】
図４はＣＰＵ５３の制御指令に基づいてＤＳＰ５２が実行する周波数帯域別ステレオ音声エネルギ算出ルーチンのフローチャートであって、ＤＳＰ５２は、まず、音声信号のチャンネルを識別するインデックスｍを“１”に初期化する（ステップＳ４０）。
【００４０】
次に、ＤＳＰ５２は、Ａ／Ｄ変換部５１によりデジタル化されたチャンネルｍの音声信号ｄ（ｍ）を読み込んで周波数分析対象の音声信号を更新し（ステップＳ４１）、音声信号ｄ（ｍ）をフーリエ変換した後、予め定められたＮ個の周波数帯域に分割して、チャンネルごと周波数帯域別音声エネルギｅ（ｍ，ｎ）を算出する（ステップＳ４２）。
【００４１】
次に、ＤＳＰ５２は、チャンネルインデックスｍが最大値Ｍに到達したか否かを判定し（ステップＳ４３）、到達していないと判定したときは、チャンネルインデックスｍをインクリメント（ステップＳ４４）してステップＳ４１に戻る。
【００４２】
チャンネルインデックスｍが最大値Ｍに到達したと判定したときには、ＤＳＰ５２は、［数１］に基づいて周波数帯域別ステレオ音声エネルギＥ（ｎ）を算出して（ステップＳ４５）、このルーチンを終了する。
【００４３】
【数１】
2006279242.tif 000003
【００４４】
なお、ＣＰＵ５３の処理速度が高速である場合には、ＤＳＰ５２を省略してＣＰＵ５３で周波数帯域別ステレオ音声エネルギ算出ルーチンを実行することも可能である。
【００４５】
図５は、ＣＰＵ５３が実行するステレオ音声ラウドネス算出ルーチンのフローチャートであって、ＣＰＵ５３は周波数帯域別ステレオ音声エネルギＥ（ｎ）を聴覚周波数特性で補正して、聴覚周波数特性補正音声エネルギＷ（ｎ）を算出する（ステップＳ５０）。
【００４６】
この処理は、人間の聴覚周波数特性は平坦でなく１ｋＨｚ近傍に頂点を有する凹型を有しているので、正確なラウドネスを算出するためには凹型特性で音声エネルギを補正することが必要となるからである。
【００４７】
次に、ＣＰＵ５３は、聴覚周波数特性補正音声エネルギＷ（ｎ）を周波数マスキング特性で補正して周波数マスキング特性補正音声エネルギＶ（ｎ）を算出する（ステップＳ５１）。
【００４８】
この処理は、特定周波数帯域の音声エネルギが特定周波数帯域の隣接周波数帯域の音声エネルギより所定値以上大であるときは、隣接周波数帯域の音声は特定周波数帯域の音声によりマスキングされる現象を模擬するためである。
【００４９】
最後に、ＣＰＵ５３は、ステレオ音声ラウドネスＬを算出する（ステップＳ５２）。
【００５０】
なお、ＣＰＵ５３は、ステレオ音声ラウドネスＬを［数２］によりステレオ音声ラウドネスレベルＬＬに換算するステップ（ステップＳ５３）を含んでいてもよい。
【００５１】
【数２】
2006279242.tif 000004
【００５２】
以上のように、第１の実施の形態に係るステレオ音声用ラウドネスレベルメータによれば、複数チャンネルの音声信号から再生されるステレオ音声のラウドネスまたはラウドネスレベルを１つの数値として表示することが可能となる。
（第２の実施の形態）
図６は、第２の実施の形態に係るステレオ音声用ラウドネスレベルメータで使用される周波数帯域別ステレオ音声エネルギ算出手段１のブロック図であって、複数（＝Ｍ：２≦Ｍ）チャンネルの音声信号Ｓ（ｍ）（１≦ｍ≦Ｍ）のそれぞれを周波数分析した後予め定められた複数（＝Ｎ：２≦Ｎ）の周波数帯域に分割してチャンネルごと周波数帯域別音声エネルギｅ（ｍ，ｎ）（１≦ｍ≦Ｍ，１≦ｎ≦Ｎ）を算出するチャンネルごと周波数帯域別音声エネルギ算出部１１ｍと、チャンネルごとおよび周波数帯域別にチャンネルごと周波数帯域別音声エネルギのレベルを聴覚の指向特性に基づいて補正してレベル補正チャンネルごと周波数帯域別音声エネルギｅ’（ｍ，ｎ）を算出する聴覚指向特性補正部１３ｍｎと、周波数帯域ごとに全チャンネルのレベル補正チャンネルごと周波数帯域別音声エネルギｅ’（ｍ，ｎ）を加算して周波数帯域別音声エネルギＥ（ｎ）を算出する加算部１４ｎとを含む構成を有している。
【００５３】
即ち、聴覚の感度は耳に対するスピーカの設置方向に応じて相違するが、この聴覚の指向特性は全周波数にわたって一様ではなく、低音に対する感度はスピーカの設置方向に係らすほぼ一定であり、高音に対する感度はスピーカの設置方向によって変化するという特性を有する。そこで、第２の実施の形態では聴覚指向特性補正部１３ｍｎで聴覚の指向特性を補正している。
【００５４】
聴覚指向特性補正部１３ｍｎに設定する聴覚指向特性補正値は心理実験により決定する必要がある。
【００５５】
図７は、ＩＴＵ勧告に基づく５．１チャンネルのスピーカ配置によりステレオ音声を再生する場合の聴覚指向特性補正値を決定するときのブロック線図である。なお、図７にはセンタースピーカ７１、左前方スピーカ７２および左後方スピーカ７３を示し、右前方スピーカ、右後方スピーカおよびサブウーファは省略している。
【００５６】
音源７４は、周波数をパラメータとして１／３オクターブまたは１オクターブ周波数帯域内でほぼ一定のエネルギレベルを有する帯域雑音発生器であり、スイッチ７５を介してセンタースピーカ７１、左前方スピーカ７２および左後方スピーカ７３に帯域雑音を供給する。
【００５７】
なお、左前方スピーカ７２とスイッチ７５の間には第１のレベル調整器７６が、左後方スピーカ７３とスイッチ７５の間には第２のレベル調整器７７が設置されている。
【００５８】
音源７４が出力する中心周波数ｆｓの帯域雑音の信号レベル（例えば実効値レベル）をＬｓに設定してセンタースピーカ７１から帯域雑音を放射し、聴取位置の被験者はその大きさを記憶する。
【００５９】
次に、被験者は、スイッチ７５を切換えて音源７４を左前方スピーカ７２に接続して、左前方スピーカ７２から帯域雑音を放射する。そして、被験者が、センタースピーカ７１から放射された帯域雑音の大きさと左前方スピーカ７２から放射された帯域雑音の大きさとが等しいと感じるように、第１のレベル調整器７６のレベルを調整する。
【００６０】
第１のレベル調整器７６のレベルが−α（α≧０）（ｄＢ）のときに両者の大きさが等しいと判断したときは、聴覚は中央から放射される音声に対する感度よりも左前方から放射される音声に対する感度が大きいことを意味する。
【００６１】
従って、本発明に係るステレオ音声用ラウドネスレベルメータによりステレオ音声のラウドネス（またはラウドネスレベル）を測定する際には、左前方チャンネルの中心周波数がｆｓである聴覚指向特性補正部の補正値を＋α（ｄＢ）に設定すればよいこととなる。
【００６２】
そして、中心周波数ｆｓを順次変更して、上記の測定を繰り返すことにより、すべての周波数帯域に対応する補正値を決定することができる。
【００６３】
図８は上記の方法により決定した３０度左（または右）前方チャンネルに対する補正値の一例であって、４ｋＨｚ未満の低音域では補正値は零であり、４〜１０ｋＨｚの高音域において有意な補正値が存在する。
【００６４】
図９は上記の方法により決定した１１０度左（または右）後方チャンネルに対する補正値の一例であって、２ｋＨｚ未満の低音域では補正値は零であり、２〜１０ｋＨｚの高音域において有意な補正値が存在する。
【００６５】
以上のように、第２の実施の形態に係るステレオ音声用ラウドネスレベルメータによれば、聴覚の指向特性をチャンネルごと周波数帯域別に補正することが可能となる。
（第３の実施の形態）
第１および第２の実施の形態に係るステレオ音声ラウドネスメータで算出されたラウドネスレベルに聴覚の時間特性を付加することにより、人間の聴覚感覚に一層合致したラウドネスレベルを表示することが可能となる。
【００６６】
聴覚の時間特性の付加方法は特に限定されないが、例えば、特許文献１に示すように、ｉ個のラウドネスレベルの上位ｊ個のラウドネスレベルの平均値を聴覚の時間特性付加後のラウドネスレベルとすることが望ましい。
【００６７】
以上のように、第３の実施の形態に係るステレオ音声用ラウドネスレベルメータによれば、聴覚の時間特性を付加したラウドネスまたはラウドネスレベルを表示することが可能となる。
【産業上の利用可能性】
【００６８】
以上のように、本発明に係るステレオ音声用ラウドネスレベルメータは、ステレオ音声のラウドネスを１つの数値で表示することができるという効果を有し、ラウドネスレベル測定装置等として有効である。
【図面の簡単な説明】
【００６９】
【図１】本発明の第１の実施の形態のステレオ音声用ラウドネスレベルメータのブロック図
【図２】本発明の第１の実施の形態の周波数帯域別ステレオ音声エネルギ算出手段のブロック図
【図３】本発明の第１の実施の形態のステレオ音声用ラウドネスレベルメータのハードウエア構成を示すブロック図
【図４】本発明の第１の実施の形態のステレオ音声用ラウドネスレベルメータのＤＳＰが実行する周波数帯域別ステレオ音声エネルギ算出ルーチンのフローチャート
【図５】本発明の第１の実施の形態のステレオ音声用ラウドネスレベルメータのＣＰＵが実行するステレオ音声ラウドネス算出ルーチンのフローチャート
【図６】本発明の第２の実施の形態の周波数帯域別ステレオ音声エネルギ算出手段のブロック図
【図７】ＩＴＵ勧告に基づく５．１チャンネルのスピーカ配置によりステレオ音声再生する場合の補正値を決定するときのブロック線図
【図８】３０度左（または右）前方チャンネルに対する補正値の一例を示す表
【図９】１１０度左（または右）後方チャンネルに対する補正値の一例を示す表
【図１０】従来の音声用ラウドネスメータのブロック図
【符号の説明】
【００７０】
１  周波数帯域別ステレオ音声エネルギ算出手段
２  ステレオ音声ラウドネス算出手段
３  換算手段
２１  聴覚周波数特性補正部
２２  周波数マスキング特性補正部
２３  ラウドネス算出部
【図１】
2006279242.tif 000005
【図２】
2006279242.tif 000006
【図３】
2006279242.tif 000007
【図４】
2006279242.tif 000008
【図５】
2006279242.tif 000009
【図６】
2006279242.tif 000010
【図７】
2006279242.tif 000011
【図８】
2006279242.tif 000012
【図９】
2006279242.tif 000013
【図１０】
2006279242.tif 000014